(57)【要約】【課題】  簡易構造にして、利用者自身が自らの手の握力を使って気圧計に示す血圧相当圧力をたやすく感じとることができ、血圧を単なる数値でなく体で実感できる血圧実感機及び血圧実感方法を提供する。【解決手段】  可撓性を有する扁平中空体１ａを設けて、その中空体内１２に送気することにより膨らみ、弾力性ある筒状中空体が形成される実感器１と、該実感器１の中空体内１２と導通して該実感器１から延設されるチューブ２と、該チューブ２に接続して前記実感器１の内圧を測定する気圧計３と、該チューブ２に接続して前記実感器１の中空体内１２へ気体を供給できる送風器４と、を具備し、前記気圧計３で血圧に相当する圧力範囲を表示できるようにした。【選択図】  図１
2008188363.tif 000002
【特許請求の範囲】
【請求項１】
可撓性を有する扁平中空体を設けて、その中空体内に送気することにより弾力性ある筒状中空体が形成される実感器(1)と、該実感器の中空体内と導通して該実感器から延設されるチューブ(2)と、該チューブに接続して前記実感器の内圧を測定する気圧計(3)と、該チューブに接続して前記実感器の中空体内へ気体を供給できる送風器(4)と、を具備し、
前記気圧計で血圧に相当する圧力範囲を表示できるようにしたことを特徴とする血圧実感機。
【請求項２】
中空体内に送気されて弾性を有して膨らむ実感器(1)がチューブ(2)を介して気圧計(3)と接続する血圧実感機を用い、該実感器を膨らませた後、該実感器を弾性圧縮変形させるよう把持することにより、その把持力に応じて前記気圧計が示す圧力値が上昇し、血圧相当圧力を実感することができるようにしたことを特徴とする血圧実感方法。
【発明の詳細な説明】
【技術分野】
【０００１】
本発明は人の血圧を実感することのできる血圧実感機及び血圧実感方法に関する。
【背景技術】
【０００２】
高血圧の治療薬をよく飲み忘れる患者さんがいたり、治療を途中で止めてしまう患者さんがいたりする。高血圧を軽く考えている患者さんである。一方、高血圧として軽症であるのに恐怖心を抱いている患者さんがいる。
こうしたなか、血圧を実感させることのできる発明技術が提案されている（特許文献１）。
【０００３】
【特許文献１】特開２００３−３１３２２８
【発明の開示】
【発明が解決しようとする課題】
【０００４】
しかしながら、特許文献１の発明技術はコンピュータを用い、血圧値の視覚的実感を与えるコンピュータ２次元表示、解析システムであって、視覚的な体感でしかなく、さらにそのシステムが大掛かりであった。
【０００５】
本発明は上記問題点を解決するもので、簡易構造にして、利用者自身が例えば自らの手の握力を使って気圧計に示す血圧相当圧力をたやすく感じとることができ、血圧を単なる数値でなく体で実感できる血圧実感機及び血圧実感方法を提供することを目的とする。
【課題を解決するための手段】
【０００６】
上記目的を達成すべく、請求項１に記載の発明の要旨は、可撓性を有する扁平中空体を設けて、その中空体内に送気することにより弾力性ある筒状中空体が形成される実感器(1)と、該実感器の中空体内と導通して該実感器から延設されるチューブ(2)と、該チューブに接続して前記実感器の内圧を測定する気圧計(3)と、該チューブに接続して前記実感器の中空体内へ気体を供給できる送風器(4)と、を具備し、前記気圧計で血圧に相当する圧力範囲を表示できるようにしたことを特徴とする血圧実感機にある。
請求項２に記載の発明の要旨は、中空体内に送気されて弾性を有して膨らむ実感器(1)がチューブ(2)を介して気圧計(3)と接続する血圧実感機を用い、該実感器を膨らませた後、該実感器を弾性圧縮変形させるよう把持することにより、その把持力に応じて前記気圧計が示す圧力値が上昇し、血圧相当圧力を実感することができるようにしたことを特徴とする血圧実感方法にある。
【０００７】
請求項１の発明のごとく、実感器(1)とチューブ(2)と気圧計(3)と送風器(4)とを具備し、前記気圧計で血圧に相当する圧力範囲を表示できる血圧実感機にすると、簡易構造ながら、利用者(使用者)自身が自らの手の握力を使って気圧計に示す血圧相当圧力を感じとることができる。実感器を握ることによって生まれる該実感器からの反発力が握る手に直かに伝わるので、血圧を単なる数値でなく体で実感できる。さらに、弾力性ある筒状中空体が形成される実感器(1)にすることで、該実感器を手で把持し易くなり、血圧を実感，体感する機具として便利なものとなる。
請求項２の発明のごとく、中空体内に送気されて弾性を有して膨らむ実感器(1)がチューブ(2)を介して気圧計(3)と接続する血圧実感機を用い、該実感器を膨らませた後、前記実感器を弾性圧縮変形させるよう把持することにより、その把持力に応じて前記気圧計が示す圧力値が上昇し、血圧相当圧力を実感することができるようにすると、例えば手を使って実感器を弾性圧縮変形させれば、弾性圧縮に伴う反力が手に直接伝わり、また弾性圧縮に伴う圧力値を気圧計で視認できるので、血圧相当圧力を実感できる。
【発明の効果】
【０００８】
本発明の血圧実感機及び血圧実感方法は、血圧を単なる数値でなく、気圧計に示す血圧相当値を利用者自身の手を通じて直接体感できるので、高血圧という病態をよく理解でき、軽く考えたりまた心配し過ぎたりすることなく治療に取り組むことが期待でき、一方、医者は患者への説明が容易になり、さらには、講習会などで高血圧を説明し理解してもらうのに有用な医療用機具並びに健康教育用機材になり得るなど、優れた効果を発揮する。
【発明を実施するための最良の形態】
【０００９】
以下、本発明に係る血圧実感機及び血圧実感方法について詳述する。図１〜図７は本発明の血圧実感機の一形態で、図１はその全体斜視図、図２は（イ）が実感器の分解斜視図で、（ロ）が中空体内に気体を充満させた実感器の斜視図である。図３、図４は他態様の血圧実感機の斜視図、図５〜図７は他態様の実感器の斜視図である。
【００１０】
（１）血圧実感機
血圧実感機は実感器１とチューブ２と気圧計３と送風器４とを備える。実感器１は、可撓性を有する扁平中空体１ａを設けて、その中空体１ａ内に送気することにより膨らみ、弾力性ある筒状中空体１ａが形成される袋状体である。
【００１１】
実感器１は中空体１ａと布袋１ｂとからなる。中空体１ａはゴム製にして可撓性を有し、チューブ２の接続部分のみが開孔するゴム嚢である。ゴム製の薄皮からなる中空体１ａの形状は中空体１ａ内に空気を入れる前は図２（イ)のごとく扁平な格好をした空気袋であるが、中空体１ａ内に空気を充満させることにより図２（ロ）のごとく中空円筒体に膨らむ空気袋になる。中空体１ａは円筒部１１とその両端面の円底部１０とで有蓋，有底の中空円筒体１ａに形成され、且つその一円底部１０にチューブ２が接続される。
【００１２】
布袋１ｂは上記中空体１ａの筒面に被着される布製袋状体である。布袋１ｂは図２(イ)のごとく長四角形した袋状体で、中空体１ａを覆着できる大きさがある。布袋１ｂの一端に中空体用収容口になる開口１７を設け、他端にチューブ用通孔１９を開孔する。該開口１７は中空体１ａを布袋１ｂに収納した後、ファスナー１８で閉じることができる。チューブ２を通孔１９から出して、ファスナー１８を閉じれば中空体１に布袋１ｂが覆着される。空気が抜かれて扁平状態にある図２(イ)のような中空体１ａを布袋１ｂ内に収納した後、送風器４を使って中空体１ａ内に空気を送ると図２(ロ)のごとくの弾性を有して膨らむ実感器１になる。ここで、血圧に相当する圧力が中空体１ａ内に加わるため、ゴム製中空体１ａは必要厚みがないと圧を加えたときに弾性復元力を越える虞がある。中空体１ａだけだと圧力に耐えられるよう厚みを大きくしなければならない。一方、中空体１ａの薄皮厚みが増せば、実感器１の弾力性が弱まり血圧を実感する機能を損ねる。こうしたことから、本実施形態の中空体１ａは気体を充満させることにより弾力性，弾発力が維持されるようその厚みをある程度薄くし、圧を加えたときに弾性復元力を越えて膨張してしまう問題は中空体１ａを布袋１ｂで覆着し解決する。布袋１ｂが必要以上の膨張をおさえ一定形状に保つ。
中空体１ａ内に気体を充満させることにより弾力性ある筒状中空体１ａに形成される実感器１(布袋１ｂが被着された中空体１ａ)は、空気が抜かれた扁平状態で、例えば縦Ｂ×横Ａが約１１０mm×約２２０mmの大きさにする。中空体内１２に空気を入れることにより、直径Ｄ×長さＬが７０mmφ×２２０mmほどの筒状実感器１となる。筒状の実感器１にするのは把持し易くするためであり、またこのような大きさにするのは、患者等の利用者が実感器１を実際に両手で掴んでその圧(血圧相当値)を体感する作業し易くするためである。
【００１３】
チューブ２は前記実感器１の中空体１ａ内と導通して該実感器１から延設されるゴム管である。チューブ２は前記中空体１ａと一体成形されたものでもよいし、また中空体１ａと別体成形して、後から中空体１ａに固着して該中空体から延設されるようにしてもよい。中空体１ａから延設されたチューブ２が図１のごとく途中で三方連結具（Ｙ字形連結具）２１を介して二手に分岐し、一の分岐点の先に気圧計３が取着され、他の分岐点の先に送風器４が取着される。
本実施形態は圧実感器１からチューブ２が１本延設されるだけで、血圧計のマンシェットからチューブ２が二本延設されるのと異にする。血圧計では送風器からマンシェットへ送る空気量の微調整が必要で、その作業性を良くするためにマンシェットから２本のチューブを延設しなければならなかったが、本血圧実感機では実感器１から１本のチューブを延設するだけで用が足せることになる。
【００１４】
気圧計３は前記実感器１の内圧を測定する圧力計で、ここでは前記チューブ２の一分岐点から延びた本管のチューブ２の先端に接続する。本実施形態は気圧計３にリバロッチ型水銀血圧計３ａを用いる。水銀血圧計３ａの表示部には水銀柱の高さが用いられ、歴史的経緯から血圧に関してはいまも国際単位系の例外としてmmHgで表示される。気圧計３は血圧に相当する圧力範囲(例えば０〜３００mmHgの範囲)を測定且つ表示できるようになっている。気圧計３は水銀血圧計３ａに代えてアネロイド血圧計３ｂ等を用いることができる。
【００１５】
送風器４は前記チューブ２に接続して前記実感器１の中空体１ａ内へ気体を供給できるもので、ここでは前記チューブ２の他の分岐点から延びた分管のチューブ２の先端に接続する。本実施形態の送風器４は一般的な血圧測定器具に用いられている公知の送気子４ａを使用する。送気子４ａは空気を送る玉状体で、これを握ることによって実感器１へ空気を送気することができる。送風器４で実感器１へ空気を送り、実感器１に係る中空体１ａの内圧を血圧に相当する圧力範囲まで高めることができる。符号７は空気抜きコックを示す。実感器１に送気した空気量が多すぎた場合に、該空気抜きコック７で空気を排気し、実感器１を所定圧に調節する。空気抜きコック７はまた血圧実感機の使用を終え、片付ける際に実感器１，チューブ２内にある空気を抜くときに用いられる。
【００１６】
送風器４と実感器１と気圧計３は導通し、且つその導通空間が空気抜きコック７で空気を抜くとき以外は閉じた系になっている。送風器４から外気を取り込み、系内に空気を送り込めば、図１のごとくチューブ２を介して送風器４と実感器１と気圧計３とがつながっていることから系全体の圧力が上昇する。そして、その圧力は気圧計３で視認できる構成にある。
【００１７】
図３は図１のチューブ２にさらに切替弁５を介してマンシェット６を接続した別態様の血圧実感機である。三方連結具（Ｙ字形連結具）２１と気圧計３をつなぐチューブ２の部分が三方連結具（Ｔ字形連結具）２２を介して分岐し、分岐した先にマンシェット６が取着される。マンシェット６は血圧測定に使用される公知品で、中にゴム袋が入っており、このゴム袋を膨らませることによって動脈を閉塞させてコロトコフ音を発生させる。マンシェット６から延設されるチューブ２の該マンシェット近くに切替弁５２を設け、さらに実感器１から延設されるチューブ２の該実感器近くに切替弁５１を設ける。切替弁５２を閉にし且つ切替弁５１を開にすることによって、実感器１と気圧計３と送風器４が導通し、実感器１を手で掴むことによって気圧計３が示す圧力すなわち血圧相当値を体感できる一方、切替弁５１を閉にし且つ切替弁５２を開にすることによって、マンシェット６と気圧計３と送風器４が導通し、公知の血圧を測る器具になり血圧測定ができる。
図４は図１の気圧計３にアネロイド血圧計３ｂを用いた他態様の血圧実感機を示す。
【００１８】
図５は図１の実感器１に代わる他態様品で、繊維コード１４を網目状にし、さらにその両面に配合ゴムを被覆して実感器１を形成したものである。ゴム製中空体１ａに網目状繊維コード１４を埋設することによって、血圧に相当する圧力範囲まで圧力を高めても中空体単独で実感器１として機能するようにしている。図６、図７は図１の実感器１に代わる他態様の実感器の斜視図で、いずれも中空体１ａ内に送気されて弾力性ある筒状中空体が形成された実感器１を示す。図６は筒状部の両端に隆起部分１３１が形成された実感器１、また図７は筒状部の筒面に凹部分１３２が形成された実感器１である。隆起部分１３１、凹部分１３２が実感器１を握る手のスベリ止めの役割を担う。
【００１９】
（２）血圧実感方法
次に、本発明の血圧実感方法について説明する。血圧実感方法は中空体内１２に送気されて弾性を有して膨らむ実感器１がチューブ２を介して気圧計３と接続する血圧実感機を用い、該実感器を膨らませた後、実感器１を弾性圧縮変形させるよう把持することにより、その把持力に応じて気圧計３の圧力値が上昇し、血圧相当圧力を実感する方法である。
血圧実感方法は例えば図１の血圧実感機を用い、次のようにして行なわれる。まず、空気が抜かれた状態にある実感器１へ送風器４で空気を送って、気圧計３が概ね８０mmHg程度の圧力値を示すまで実感器１を膨らませる。この状態にした後、この血圧実感機を使用して血圧相当圧力を実感する。具体的には、血圧実感機で血圧を体感しようとする者は、実感器１の円筒部１１を手で掴んで握る。手で握りしめることによって、実感器１が弾性圧縮変形してその中空体内１２の体積が減少する。実感器１と気圧計３と送風器４は導通し、且つその導通空間が閉じた系になっていることから、系内圧力は前記実感器１の体積減少に伴い上昇する。弾性圧縮するその握りしめる力の度合いに応じて、気圧計３が例えば１５０mmHgや２００mmHgの数値を示すようになる。気圧計３が例えば１５０mmHgになった時は、その数値の圧力(反力)が実感器を握る手に伝わり、１５０mmHgという血圧相当圧力を実感できる。２００mmHgになれば、その数値の圧力(反力)が実感器１を握る手に伝わり、２００mmHgという血圧相当圧力を実感できることとなる。
【００２０】
（３）効果
このように構成した血圧実感機及び血圧実感方法によれば、送風器４を使って実感器１を８０mmHg程度の圧力まで膨らませた後、実感器１を手で掴んで握りしめることによって、血圧に相当する圧力を利用者自身の手を通じて容易に体感できる。所定圧に膨らませた実感器１は弾力性があることから、これを手で掴んで握りしめることによって、実感器１は弾性圧縮変形し該実感器の容積は減少する。この容積減少によって、送風器４と実感器１と気圧計３はチューブ２を介して導通し閉じた系になっていることから系全体の圧力が上昇する。実感器１を強く握れば、１５０mmHg、さらには２００mmHgへと気圧計３の圧力値が上昇し、実感器１のもつ弾発力，反発力でその内圧を利用者の手へ直接伝える。実感器１がチューブ２を介して気圧計３につながっているため、利用者は実感器１の内圧を該気圧計３が示す数値で確認できる。高血圧の患者等はこの血圧実感機を用いて手軽に高血圧という圧力を体感し、高血圧の病態並びに治療効果をよく理解できる。高血圧の患者が軽く考えたりまた心配し過ぎたりすることなく治療に取り組むことが期待できる。本発明の血圧実感機は手軽に健康管理を身につける一助となる。
一方、医者はこの血圧実感機があることによって高血圧について患者への説明と治療効果の確認が容易になる。さらに、講習会などで高血圧を説明し理解してもらうのに有用な機具となる。加えて、実感器１を所定圧に膨らませて一旦セットすれば、血圧実感機は空気抜きコック７でガス（空気)を抜かない限り何度でも体感できるので、使用に際しての煩わしさもなくなる。人が変わっても体験でき、幾人でも応対できる優れものとなる。病院等の待合室に設置すれば、手軽に血圧という圧力を実感できる体験コーナーができるなど多大な効を奏する。
【００２１】
また、血圧実感機は比較的シンプルな構造で、特許文献１の発明技術と違って低コスト化が実現できる。
さらに、図３のような血圧実感機とすれば、血圧測定する器具にもなり、一つで二役をこなす。血圧測定する器具から血圧を実感する器具への切替え、或いはその逆のケースも切替弁５１,５２の操作だけでなし得るので、作業性にも優れる血圧実感機になる。
【００２２】
尚、本発明においては前記実施形態に示すものに限られず、目的,用途に応じて本発明の範囲で種々変更できる。実感器１,チューブ２，気圧計３,送風器４,切替弁５,マンシェット６,空気抜きコック７等の形状,大きさ等は用途等に合わせて適宜選択できる。
【図面の簡単な説明】
【００２３】
【図１】実施形態１の血圧実感機の全体斜視図である。
【図２】（イ）が実感器の分解斜視図で、（ロ）が中空体内に気体を充満させた実感器の斜視図である。
【図３】図１の血圧実感機と異なる他態様の血圧実感機の全体斜視図である。
【図４】図１の血圧実感機と異なる他態様の血圧実感機の全体斜視図である。
【図５】図１の実感器と異なる他態様の実感器の斜視図である。
【図６】図１の実感器と異なる他態様の実感器の斜視図である。
【図７】図１の実感器と異なる他態様の実感器の斜視図である。
【符号の説明】
【００２４】
１              実感器
１ａ            中空体
１ｂ            布袋
１２            中空体内
２              チューブ
３              気圧計
４              送風器
５              切替弁
【図１】
2008188363.tif 000003
【図２】
2008188363.tif 000004
【図３】
2008188363.tif 000005
【図４】
2008188363.tif 000006
【図５】
2008188363.tif 000007
【図６】
2008188363.tif 000008
【図７】
2008188363.tif 000009